(57)【要約】【課題】演出表示装置の前方で動作する可動役物について、インパクトが強く、かつ、意外性のある可動形態を呈することが可能な役物装置を備えた遊技機を提供する。【解決手段】回転機構の動作により回転する可動体を備えた遊技機であって、可動体は、回転機構の非動作時において遊技者から視認可能な第１の意匠面と、第１の意匠面と対向し、回転機構の非動作時において遊技者から視認不能な第２の意匠面と、可動体内に格納され、スライド機構の動作により、第２の意匠面から出没可能とされたスライド体とを備え、スライド機構は、スライド体を、回転機構の動作により可動体が回転し、第１の意匠面に対向する第２の意匠面が遊技者から視認可能とされた後に動作させ、可動体から出現させる構成とした。【選択図】図４
2016036373.tif 000002
【特許請求の範囲】
【請求項１】
回転機構の動作により回転する可動体を備えた遊技機であって、
前記可動体は、
前記回転機構の非動作時において遊技者から視認可能な第１の意匠面と、
前記第１の意匠面と対向し、前記回転機構の非動作時において遊技者から視認不能な第２の意匠面と、
前記可動体内に格納され、スライド機構の動作により、前記第２の意匠面から出没可能とされたスライド体と、
を備え、
前記スライド機構は、前記スライド体を、前記回転機構の動作により前記可動体が回転し、前記第１の意匠面に対向する第２の意匠面が遊技者から視認可能とされた後に動作させ、前記可動体から出現させることを特徴とする遊技機。
【請求項２】
前記スライド体は、前記第２の意匠面に形成された複数の開口より出没可能な複数のスライド部材からなることを特徴とする請求項１記載の遊技機。
【請求項３】
前記第１の意匠面が、所定の演出画像を表示可能な演出表示部であることを特徴とする請求項１または請求項２記載の遊技機。
【請求項４】
前記可動体には、当該可動体の回転中心となる回転軸が設けられ、
前記回転軸が、前記可動体の隅部近傍に位置することを特徴とする請求項１乃至請求項３のいずれかに記載の遊技機。
【発明の詳細な説明】
【技術分野】
【０００１】
本発明は、遊技機に関し、特に可動役物の動作による意外性の高い演出を行う遊技機に関する。
【背景技術】
【０００２】
従来、遊技機の一例としてのパチンコ機には、役物装置と呼ばれる可動体を備えたものが知られている。例えば特許文献１には、一の面に遊技機の機種名等を表示するロゴ部材が配設され、他の面に始動口に入賞した球数を表示する特別図柄保留表示部が配設された四角柱形状の回転体を備えた役物装置が開示されている。当該役物装置は、回転体の回転動作により遊技者に対して正対する面が変化し、当該回転体の回転動作、及び特別図柄保留表示部の表示態様の変化により興趣性の高い演出を表現するものである。
【先行技術文献】
【特許文献】
【０００３】
【特許文献１】特開２０１３−１８００８７号公報
【発明の概要】
【発明が解決しようとする課題】
【０００４】
しかしながら、遊技者の興趣性や期待感を向上させるためにはよりインパクトが強く、かつ、意外性が高い演出が要望されており、回転体の回転動作や表示態様の変化だけでは、役物装置としてのインパクトや意外性を欠き、遊技者の興趣性や期待感を十分に高めることができない。
【０００５】
本発明は、上記事情に鑑みてなされたものであって、演出表示装置の前方において動作する可動役物について、インパクトが強く、かつ、意外性のある可動形態を呈することが可能な役物装置を備えた遊技機を提供することを目的とする。
【課題を解決するための手段】
【０００６】
上記課題を解決するための遊技機の構成として、回転機構の動作により回転する可動体を備えた遊技機であって、可動体は、回転機構の非動作時において遊技者から視認可能な第１の意匠面と、第１の意匠面と対向し、回転機構の非動作時において遊技者から視認不能な第２の意匠面と、可動体内に格納され、スライド機構の動作により、第２の意匠面から出没可能とされたスライド体とを備え、スライド機構は、スライド体を、回転機構の動作により可動体が回転し、第１の意匠面に対向する第２の意匠面が遊技者から視認可能とされた後に動作させ、可動体から出現させる構成とした。
また、上記遊技機の他の構成として、スライド体は、第２の意匠面に形成された複数の開口より出没可能な複数のスライド部材からなる構成とした。
また、上記遊技機の他の構成として、第１の意匠面が所定の演出画像を表示可能な演出表示部である構成とした。
また、上記遊技機の他の構成として、可動体には、当該可動体の回転中心となる回転軸が設けられ、回転軸が可動体の隅部近傍に位置する構成とした。
なお、上記発明の概要は、本発明の必要な特徴の全てを列挙したものではなく、特徴群を構成する個々の構成もまた発明となり得る。
【発明の効果】
【０００７】
上記構成によれば、インパクトが強く、かつ、意外性のある可動形態を呈することが可能な役物装置を備えた遊技機を提供することが可能となる。
【図面の簡単な説明】
【０００８】
【図１】実施形態に係るパチンコ機の外観斜視図である。
【図２】役物装置の非動作時における遊技盤を示す正面図である。
【図３】パチンコ機のブロック図である。
【図４】役物装置の動作時における遊技盤を示す正面図である。
【図５】役物装置の分解斜視図である。
【図６】役物装置の動作過程を示す斜視図である。
【発明を実施するための形態】
【０００９】
以下、図１〜図６を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。なお、以下の説明において遊技機の一例としてのパチンコ機の各部の左右方向は、そのパチンコ機に対面する遊技者にとっての左右方向に一致させて説明する。
【００１０】
［パチンコ機の全体構成について］
図１，図２を用いて、遊技機の一例としてのパチンコ機１の全体構成について説明する。
同図に示すように、本実施形態に係るパチンコ機１は、遊技機が設置される店舗の島とも呼ばれる設備に固定される縦長矩形状の機枠２と、機枠２に対して前後方向に開閉自在に取り付けられた本体枠３と、本体枠３内に脱着自在に収容される遊技盤２０と、本体枠３の前方において開閉可能に取り付けられ、中央に配設されたガラス窓４Ａ及び当該ガラス窓４Ａの下方に設けられた受皿６を有するパネル枠４と、パネル枠４の下部一側部より前方に突設されたハンドルユニット７と、パネル枠４の上部両側部に配設されたスピーカユニット８とを備える。
パネル枠４が本体枠３側に閉じられた状態において、パチンコ機１の前方に着座する遊技者からは、パネル枠４に配設されたガラス窓４Ａを介して本体枠３内に収容された遊技盤２０の遊技領域２０Ａを視認することが可能である。
【００１１】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御装置３００（図３参照）と接続されており、プッシュボタン９Ａ、及びダイアル９Ｂから出力される信号は、演出制御装置３００側に入力する。
また、上記受皿６には、操作機構９の他、図外の球貸ボタンや返却ボタン等が配設されている。球貸ボタンや返却ボタン等のボタン操作によって図外のＣＲユニットに投入されたＩＣカード等の記録媒体に記録された貸し球可能数に対応する遊技球の貸し出し動作、或いは記録媒体の返却動作が実行される。
【００１２】
［遊技盤の構成について］
図２に示すように、本体枠３内に収容された遊技盤２０には、外ガイドレール２１及び内ガイドレール２２によって区画された遊技領域２０Ａが形成される。遊技領域２０Ａは、遊技盤２０の前面とガラス窓４Ａの後面との間に形成され、遊技球が流下可能な空間である。また、遊技領域２０Ａ内には、遊技盤２０の前面に稙設された多数の釘や風車が配置されている。そして、遊技者のハンドルユニット７の操作に応じて駆動する図外の発射機構により発射され、遊技領域２０Ａ内に到達した遊技球は、多数の釘や風車によって不規則に誘導されつつ遊技領域２０Ａ内を流下する。
【００１３】
遊技盤２０には、演出表示装置５０と、後述する複数の入賞部品と、後述するサブ演出表示装置６０が搭載された役物装置５００とが配設される。演出表示装置５０は、例えば１〜８までの数字、及び特定のキャラクター等からなる演出図柄Ｓを変動表示可能な液晶表示装置であって、その演出表示部５０Ａは遊技盤２０の中央部において遊技盤２０の面積全体の４分の１程度を占めている。演出表示部５０Ａには、演出図柄Ｓの他、演出図柄Ｓの変動表示に伴って予告演出やリーチ演出とも呼ばれる画像や動画により表現される多様な変動演出が表示される。そして、遊技者は、一般に演出表示部５０Ａ上に表示される変動表示、及び変動演出を視認しながら遊技を楽しむこととなる。
【００１４】
また、演出表示部５０Ａの周囲には、遊技球誘導壁３１が前方に向けて突設されている。遊技球誘導壁３１は、演出表示部５０Ａの上部、及び両側部を略円形状に取り囲むように延在する壁部である。上述のガラス窓４Ａが閉じられた場合において、遊技球誘導壁３１の前端部とガラス窓４Ａとは、遊技球の直径未満で接近し、遊技球誘導壁部３１で囲まれた内側に遊技球が進入することは不可能とされる。よって、遊技領域２０Ａ内を流下する球は、複数の遊技釘や遊技球誘導壁３１の傾斜により誘導されながら流下することとなる。遊技球誘導壁３１の下部には、演出表示装置５０の下部において後方に広がるステージ３４が設けられる。ステージ３４は、遊技球誘導壁３１の左側部に開設されたワープ通路３２を介して誘導された球を転動させた後、その前面又は中央部に開設された導出口３５を介して導出可能である。導出口３５は、後述する振分機構４３の共通入口４３Ａの直上に位置しており、導出口３５から排出された球は、高い確率で共通入口４３Ａに取り込まれることとなる。
【００１５】
次に、遊技盤２０に配設される各遊技部品について説明する。
遊技盤２０の遊技領域２０Ａ内には、入賞部品としての第１始動入賞部品４０、第２始動入賞部品４１、大入賞部品４５及び複数の一般入賞部品４６が配設される。これらの入賞部品４０，４１，４５，４６には、それぞれ第１始動口検出スイッチＳＷ１、第２始動口検出スイッチＳＷ２、大入賞口検出スイッチＳＷ３及び一般入賞口検出スイッチＳＷ４（図３参照）が内蔵されており、遊技球の検出に基づいて後述する主制御装置１００側に検出信号を出力する。
【００１６】
第１始動入賞部品４０，第２始動入賞部品４１は、遊技領域２０Ａの中央下部に互いに左右並列して配設される。第１始動入賞部品４０，第２始動入賞部品４１はそれぞれ、振分機構４３の下流側出口４４Ａ，下流側出口４４Ｂの下方に配設されている。振分機構４３は、例えば外部より視認可能な透明基板によって形成された流路であって、共通入口４３Ａより進入した球は、二股に分かれる流路の上流側中央部に配設された振分体４２によって下流側出口４４Ａ，４４Ｂのいずれかに振り分けられる。なお、本実施形態において振分体４２は、外部の動力を用いずに球の重み等によって機械的に動作し、共通入口４３Ａへ進入した球を下流側出口４４Ａ，４４Ｂの方向に向けて交互に振り分けるものであっても、外部からの動力を用いて動作し、球を下流側出口４４Ａ，４４Ｂの方向に向けて交互に振り分けるものであってもよい。
【００１７】
振分機構４３を経て第１始動入賞部品４０又は第２始動入賞部品４１に球が入賞すると、主制御装置１００によって特別図柄抽選（以下、特図抽選ともいう）等の各種の抽選処理が実行され、当該各種の抽選処理の結果が第１特別図柄表示装置５５Ａ、第２特別図柄表示装置５５Ｂや演出表示装置５０上に反映されて表示される。また、第１始動入賞部品４０又は第２始動入賞部品４１に球が入賞すると、予め設定された所定の個数（例えば３個）の賞球が払出制御装置２５０（図３参照）を介して遊技者に対して払い出される。また、第２始動入賞部品４１には、電動チューリップとも称される開閉体４１Ａが設けられている。図３に示すように、当該開閉体４１Ａは、ソレノイドＳＯＬ１により開閉される。ソレノイドＳＯＬ１は、主制御装置１００により制御され、開閉体４１Ａを所定の回数及び所定の間隔で開放動作させる。
【００１８】
大入賞部品４５は、遊技領域２０Ａの右側下部に配設される。大入賞部品４５は、特図抽選の結果が当りである場合に実行される所謂大当り遊技時に開放する開閉体４５Ａを有している。図３に示すように、当該開閉体４５Ａは、ソレノイドＳＯＬ２により開閉される。ソレノイドＳＯＬ２は、大当り遊技時において主制御装置１００によって制御され、開閉体４５Ａを所定の回数及び所定の間隔で開放動作させる。また、大入賞部品４５に球が入賞すると予め設定された所定の個数（例えば１５個）の賞球が遊技者に対して払い出される。
【００１９】
複数の一般入賞部品４６は、遊技領域２０Ａの左側下部に所定の間隔を空けて配設される。当該一般入賞部品４６に球が入賞すると予め設定された所定の個数（例えば３個）の賞球が遊技者に対して払い出される。
【００２０】
また、遊技盤２０の遊技領域２０Ａの外方には、第１特別図柄表示装置５５Ａ、第２特別図柄表示装置５５Ｂ、第１特別図柄保留表示装置５６Ａ、第２特別図柄保留表示装置５６Ｂ、普通図柄表示装置５７、及び普通図柄保留表示装置５８が設けられている。各表示装置は、遊技の進行状況に応じて主制御装置１００によって制御され、その表示の変化によって遊技状況を遊技者に報知する。
【００２１】
［パチンコ機の内部構成について］
図３は、パチンコ機１の制御を担う制御手段の構成を示すブロック図である。同図に示すように、パチンコ機１は、主として遊技全般に係る基本動作を制御する主制御装置１００と、主として賞球の払出動作を制御する払出制御装置２５０と、主として遊技球の発射を制御する発射制御装置２６０と、前述の演出表示装置５０や後述する役物装置５００を制御する演出制御装置３００とを備える。
【００２２】
主制御装置１００は、（メイン）ＣＰＵ１００ａ、（メイン）ＲＯＭ１００ｂ、及び（メイン）ＲＡＭ１００ｃを備えている。主制御装置１００のＣＰＵ１００ａは、各検出スイッチやタイマからの入力に対応してＲＯＭ１００ｂに予め格納されたプログラムを読み出して、当該プログラムに従った演算処理を行い、主制御装置１００に接続された上述の各ソレノイドＳＯＬ１, ＳＯＬ２や、遊技盤２０の遊技領域２０Ａの外方に配設された第１特別図柄表示装置５５Ａ、第２特別図柄表示装置５５Ｂといった各表示装置を直接的に制御し、他の制御装置に多様なコマンドを送信する。また、このときＲＡＭ１００ｃは、ＣＰＵ１００ａの演算処理時におけるワークエリアとして機能し、演算に必要な各種のデータや、コマンドを一時的に保持する。
【００２３】
主制御装置１００には、払出制御装置２５０、及び演出制御装置３００が接続されている。払出制御装置２５０は、主制御装置１００と同様に不図示のＣＰＵ、ＲＯＭ、ＲＡＭを備えたマイクロコンピュータであって、主制御装置１００と一方向通信可能に接続されている。当該払出制御装置２５０には、外部情報出力端子板２５１が接続されている。外部情報出力端子板２５１は、主制御装置１００（ＣＰＵ１００ａ）及び払出制御装置２５０（払出制御装置のＣＰＵ）から出力された遊技の進行に関する種々の情報をパチンコ機１の設置店等に設けられたホストコンピュータ側に送信する。
【００２４】
また、払出制御装置２５０には、遊技者に対して賞球を払い出すための払出モータ２５２、及び賞球数計数スイッチ２５３が接続されている。払出制御装置２５０は、主制御装置１００から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御装置２５０側において、適正な賞球数が払い出されたかが把握される。なお、払出制御装置２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００２５】
発射制御装置２６０には、ハンドルユニット７内に搭載されたタッチセンサ２６１、発射ボリューム２６２、図外の発射機構内に設けられ、受皿６に貯留された遊技球を送り込む球送りモータ２６３、及び発射機構内に格納された球発射モータ２６４が接続されている。発射制御装置２６０は、払出制御装置２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域２０Ａ内に打ち出す。
【００２６】
演出制御装置３００は、遊技進行中や待機中における各種の演出を制御する。
演出制御装置３００は、（サブ）ＣＰＵ３００ａ、（サブ）ＲＯＭ３００ｂ、（サブ）ＲＡＭ３００ｃを備えており、主制御装置１００に対して、主制御装置１００から演出制御装置３００に対してのみ通信（一方向通信）が可能なように接続されている。演出制御装置３００は、主制御装置１００から送信される演出に関する各種のコマンドや内部タイマからの入力信号に基づいて、ＲＯＭ３００ｂに予め格納されたプログラムを読み出して、当該プログラムに従った演算処理を行い、演出制御装置３００に接続された演出表示装置５０の演出表示部５０Ａの画像制御、サブ演出表示装置６０のサブ演出表示部６０Ａの画像制御、遊技進行中における楽曲や効果音などの音声をスピーカユニット８から出力させる音声出力制御や、後述する役物装置５００を動作させるソレノイドやモータ等の駆動機構５０１を動作させる可動体駆動制御、或いは遊技盤２０及びパネル枠４等の各所に配設された図外の発光体（ＬＥＤ）を多様なパターンにより発行させる発光制御を実行する。このときＲＡＭ３００ｃは、ＣＰＵ３００ａの演算処理時におけるワークエリアとして機能し、演算に必要な各種のデータや、コマンド等を一時的に保持する。
【００２７】
また、演出制御装置３００は、ＣＰＵ３００ａと接続され、当該ＣＰＵ３００ａより送信される画像表示に係る各種のコマンドを受信して演出表示部５０Ａ，サブ演出表示部６０Ａに多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御装置３００には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。また、演出制御装置３００は、各種コマンドを受信して、後述する役物装置５００を所定の態様により動作させ、その動作態様によって遊技を盛り上げる。
【００２８】
［役物装置の概要について］
次に、演出表示装置５０の周囲に配設される本発明の主要部である役物装置５００の概要について説明する。図２等に示すように、本実施形態における役物装置５００は、非動作時において、遊技者から視認可能な演出表示装置５０の前面上部の待機位置に待機し、演出表示部５０Ａの上部を遮った状態とされる。そして、役物装置５００に設けられたサブ演出表示装置６０のサブ演出表示部６０Ａには、例えば演出表示部５０に表示される演出画像と関連する演出画像が表示される。
【００２９】
図４等に示すように、役物装置５００の可動体５０５は、動作時において、上記待機位置から演出表示装置５０の演出表示部５０Ａの前方で、左右方向に延在する回転軸５２１の軸心を回転中心として９０°回転（自転）動作し、再び待機位置へと回転可能とされている。また、役物装置５００は、演出表示部５０Ａの前方において、回転軸５２１と直交する上下方向にスライド動作するスライド体５０８を備える。
【００３０】
つまり、本実施形態に係る役物装置５００は、演出表示装置５０の演出表示部５０Ａの前方において、回転軸５２１を中心として正逆方向（本実施形態の場合、前後方向）に回転動作可能に構成される。また、図４等に示すように、役物装置５００の可動体５０５（図示なし）が演出表示装置５０の演出表示部５０Ａの前方において、回転軸５２１と直交する上下方向にスライド動作可能とされている。以下、上記役物装置５００の詳細について説明する。
【００３１】
［役物装置の詳細について］
図５は、動作時における役物装置５００の全体斜視図である。また、図６（ａ）乃至図６（ｃ）は、可動体５０５の動作過程を示す斜視図である。
各図に示すように、役物装置５００は、非動作時に遊技者から視認可能なサブ演出表示部６０Ａを有する可動体５０５と、当該可動体５０５を駆動させる駆動機構５０１とを備える。駆動機構５０１は、可動体５０５を演出表示部５０Ａの前方において回転動作させる回転機構５０２と、回転機構５０２により回転動作する可動体５０５の内部からスライド体５０８をスライド動作させるスライド機構５０４とを備える。以下、駆動機構５０１について回転機構５０２から順に説明する。
【００３２】
各図に示すように、回転機構５０２は、遊技球誘導壁３１の上部の裏側に設けられ、遊技者からその一部を視認可能な機構プレート５１１を備える。機構プレート５１１は、左右方向に延在する略コ字状の板体であって、図外の固定手段を介して遊技盤２０の背面側において固定される。機構プレート５１１の両側面（左右方向の側面）には、後述する前カバー５２０の側面に突設される回転軸５２１を挿通可能な取付穴５１２が開設される。
【００３３】
機構プレート５１１の一方側の側面（右側面）には、可動体５０５と、当該可動体５０５の前カバー５２０内に収容されるスライド機構５０４とを回転軸５２１を回転中心として正逆方向に９０°回転動作させるモータＭ１が搭載される。モータＭ１の出力軸には、機構プレート５１１の側面を貫通する回転軸５１３（図２等参照）が接続される。回転軸５１３の軸周りには、機構プレート５１１の側面において回転するギア５１４（図２等参照）が形成される。ギア５１４は、後述する可動体５０５の前カバー５２０の側面に設けられたギア５２２と噛合する。ギア５１４とギア５２２とが噛み合った状態において、モータＭ１の駆動に伴い回転軸５１３が回転すると、当該回転力がギア５１４及びギア５２２によって伝達され、可動体５０５及びスライド機構５０４が正逆方向に回転動作することとなる。これにより、回転機構５０２に対して役物装置５００の可動体５０５、及び当該可動体５０５内のスライド機構５０４が、モータＭ１の駆動に伴って演出表示部５０Ａの前方で正逆方向に９０°回転動作可能となる。
【００３４】
回転動作の動力源であるモータＭ１は、図外の配線や中継基板を介して、図３に示す演出制御装置３００と接続されており、演出制御装置３００から出力される制御信号に基づいて正逆方向に回転駆動する。また、回転機構５０２による回転制御は、後述する前カバー５２０に設けられた図外の検出部を検出する位置検出センサ等によって行われる。位置検出センサは、モータＭ１が非動作時において前カバー５２０等に設けられる検出部を検出し、当該検出部の検出により検出信号を演出制御装置３００に出力する。つまり、位置検出センサは、回転機構５０２の原点位置（待機位置）を検出する。
【００３５】
次に、駆動機構５０１のスライド機構５０４について説明する。
図５に示すように、スライド機構５０４は、前側から順に機構プレート５３０と、第一規制プレート５５０と、第二規制プレート５６０と、後カバー５７０とを備える。スライド機構５０４は、可動体５０５の前カバー５２０の内部に配設される後述のスライド体５０８をスライド動作させる。
【００３６】
機構プレート５３０は、左右方向に延在し、遊技者から視認不能な略コ字状の板体であって、左右両側部に突設される固定部５３１が前カバー５２０の内部に設けられた図外の固定部に対して取り付けられる。機構プレート５３０の略中央部には、後述するモータＭ２の出力軸に設けられた回転軸５７５が挿通される図外の貫通孔が形成される。この貫通孔から前側に突出する回転軸５７５には、ギア５３２が取付けられる。ギア５３２は、回転アーム５３３に形成されたギア部５３４と噛み合う。
【００３７】
回転アーム５３３は、ギア５３２の上方側に設けられ、左右方向の中央部から側部（右側）に向かって延在する略Ｌ字状の部材である。回転アーム５３３には、ギア５３２及び後述する回転アーム５３８のギア部５３９と噛み合うギア部５３４が形成される。ギア部５３４は、機構プレート５３０に対して回転可能に取り付けられる。また、回転アーム５３３は、動作時において、ギア部５３４の外周面から上方側に所定の角度傾斜しつつ側部に向かって延長する正面視略楕円状の腕部５３５を有する。腕部５３５は、一端側がギア部５３４と一体に形成され、他端側にはギア部５３４の回転に伴い案内穴５３７内に沿って移動する案内突起５３６が形成される。案内突起５３６は、腕部５３５の他端側の背面（後側面）から後方側に向かって突設される。また、案内突起５３６は、円筒状に形成され、案内穴５３７に前側から後側に向かって挿通され、後述するスライド体５０８の第一部材５８０Ａの長穴５８２Ａを経由して第二部材５９０の図外の長穴まで達する。案内突起５３６の外径は、案内穴５３７，後述する第一規制プレート５５０の案内穴５５３，第一部材５８０Ａの長穴５８２Ａ，第二規制プレート５６０の案内穴５６１及び第二部材５９０の図外の長穴の内径と略同一に形成される。
案内穴５３７は、機構プレート５３０を前後方向に貫通し、湾曲しながら上下方向に延長する円弧状の開口であって、内部に挿通される上述の案内突起５３６を開口に沿って上下方向に案内する。
【００３８】
機構プレート５３０には、回転アーム５３３に対応する回転アーム５３８が取り付けられる。回転アーム５３８は、上記回転アーム５３３と略同形状であって、左右方向の中央部から側部（左側）に向かって延在する略Ｌ字状の部材である。回転アーム５３８は、回転アーム５３３に対して左右対称となるように配置される。回転アーム５３８には、回転アーム５３３のギア部５３４とのみ噛み合うギア部５３９が形成される。円環状のギア部５３９の中央部は、機構プレート５３０に対して回転可能に取り付けられる。また、回転アーム５３８は、動作時において、ギア部５３９の外周面から上方側に所定の角度傾斜しつつ側部に向かって延長する正面視略楕円状の腕部５４０を有する。腕部５４０は、一端側がギア部５３９と一体に形成され、他端側には、ギア部５３９の回転に伴い案内穴５４２内に沿って移動する案内突起５４１が一体に形成される。案内突起５４１は、腕部５４０の他端側の背面（後側面）から後方側に向かって突設される。また、案内突起５４１は、円筒状であって、案内穴５４２内に挿通され、後述するスライド体５０８の第一部材５８０Ｂの長穴５８２Ｂを経由して第二部材５９０の図外の長穴まで達する。案内突起５３６の外径は、案内穴５４２，後述する第一規制プレート５５０の案内穴５５４，第一部材５８０Ｂの長穴５８２Ｂ，第二規制プレート５６０の案内穴５６２及び第二部材５９０の図外の長穴の内径と略同一に形成される。
案内穴５４２は、機構プレート５３０を前後方向に貫通し、湾曲しながら上下方向に延長する円弧状の開口であって、内部に挿通される上述の案内突起５４１を開口に沿って上下方向に案内する。
【００３９】
案内突起５３６，５４１が案内穴５３７，５４２に挿通された状態において、後述のモータＭ２が駆動すると、ギア５３２とギア部５３４を介して噛合する回転アーム５３３が回転する。回転アーム５３３の回転に応じて、案内突起５３６は、案内穴５３７内を下側の待機位置から上方に向かって移動することにより、図５に示す状態となる。また、回転アーム５３３の回転に伴い回転アーム５３８が回転すると、案内突起５４１が案内穴５４２内を下側の待機位置から上方に向かって移動することにより、図５に示す状態となる。そして、スライド体５０８は、回転アーム５３３，５３８の回転に伴い、上下方向にスライド移動可能となる。
【００４０】
機構プレート５３０の背面側には、図外の固定手段を介して第一規制プレート５５０が固定される。第一規制プレート５５０は、略コ字状の板が左右方向に連なった形状であり、全体として略Ｅ字状に形成される。第一規制プレート５５０の中央部には、モータＭ２の回転軸５７５が後方側から前方側に向かって挿通される貫通孔５５５が開設される。また、貫通孔５５５よりも左右方向の両側部には、上述した案内穴５３７，５４２と対応し、案内突起５３６，５４１が挿通される案内穴５５３，５５４が開設される。案内穴５５３，５５４は、第一規制プレート５５０を前後方向に貫通し、湾曲しながら上下方向に延長する開口である。案内穴５５３，５５４は、挿通される案内突起５３６，５４１を開口に沿って上下方向に案内する。
【００４１】
第一規制プレート５５０の背面（後方）側には、規制部５５１，５５２が形成される。規制部５５１，５５２は、いずれも第一部材５８０Ａ，５８０Ｂの幅方向（左右方向）寸法よりも僅かに大きく形成され、第一部材５８０Ａ，５８０Ｂの左右方向の側面を取り囲むことにより左右方向への移動を規制する。よって、第一部材５８０Ａ，５８０Ｂは、規制部５５１，５５２内を上下方向にスライド移動することになり、その移動方向が上下方向となる。
【００４２】
第二規制プレート５６０は、左右方向に延在する平板状の板体であって、第一規制プレート５５０よりも幅方向（左右方向）の延長寸法が長尺に設定される。第二規制プレート５６０は、図外の固定手段を介して上述した機構プレート５３０の背面側に固定される。つまり、第一規制プレート５５０と、第二規制プレート５６０とは、いずれも機構プレート５３０に対して固定され、各プレート５３０，５６０，５７０が一体に構成される。
【００４３】
また、第二規制プレート５６０の両側部には、上述した案内穴５３７，５４２と対応し、案内突起５３６，５４１が挿通される案内穴５６１，５６２が開設される。案内穴５６１，５６２は、第二規制プレート５６０を前後方向に貫通し、湾曲しながら上下方向に延長する開口である。案内穴５６１，５６２は、挿通される案内突起５３６，５４１を開口に沿って上下方向に案内する。
【００４４】
第二規制プレート５６０の中央上部には、後述するスライド体５０８の第二部材５９０に設けられる円筒体５９２の形状よりも僅かに大きい切欠き部５６６が形成される。切欠き部５６６は、非作動時（下方側の待機位置に待機した状態）に円筒体５９２を収容可能である。また、切欠き部５６６の下方には、モータＭ２の回転軸５７５が挿通される図外の貫通孔が開設される。第一規制プレート５６０の背面には、図外の規制部材が固定される。規制部材は、例えば上下方向に延在する部材であって、第二部材５９０の前面に固定される図外の規制部材と摺動自在に係合することにより、左右方向への移動が規制され、移動方向が上下方向となる。
【００４５】
後カバー５７０は、第二規制プレート５６０と同様に、左右方向に延在する平板状の板体であって、第二規制プレート５６０よりも後方側に位置し、図外の固定手段を介して前カバー５２０内に固定される。また、後カバー５７０の背面側には、スライド体５０８を上下方向にスライド動作させるモータＭ２が搭載される。モータＭ２の出力軸には、回転軸５７５が設けられ、回転軸５７５が第二規制プレート５６０の貫通孔，第一規制プレート５５０の貫通孔５５５，及び機構プレート５３０の貫通孔に挿通される。回転軸５７５の軸周りには、機構プレート５３０の前面において回転するギア５３２が取り付けられる。
【００４６】
スライド体５０８のスライド移動の動力源となるモータＭ２は、図外の配線や中継基板を介して、図３に示す演出制御装置３００と接続されており、演出制御装置３００から出力される制御信号に基づいて正逆方向（左右方向）に回転駆動する。また、機構プレート５３０には、図外の位置検出センサが設けられる。位置検出センサは、演出制御装置３００と接続されており、スライド体５０８が下降位置で待機している場合に図外の検出部を検出し、検出信号を演出制御装置３００に対して出力する。つまり、位置検出センサは、スライド機構５０４の原点位置（待機位置）を検出する。
【００４７】
次に、役物装置５００の可動体５０５について説明する。
各図に示すように、可動体５０５は、駆動機構５０１の非動作時に遊技者から視認可能なサブ演出表示装置６０のサブ演出表示部６０Ａが搭載された前カバー５２０と、当該前カバー５２０の内部に収容され、駆動機構５０１の非動作時において遊技者から視認不能なスライド体５０８とを備える。
【００４８】
前カバー５２０は、左右方向に延在する矩形状の箱体であって、上述したように両側面（左右方向）から突設される回転軸５２１が取付穴５１２に対して回転可能に取付けられる。駆動機構５０１の非動作時における前カバー５２０の下面（図５に示す動作時にあっては後面）には、開口部が開設されており、当該開口部からスライド機構５０４及びスライド体５０８が内部に組み付けられる。また、駆動機構５０１の非動作時における前カバー５２０の後面（図５に示す動作時にあっては上面）には、スライド体５０８の第一部材５８０Ａ，５８０Ｂの位置に対応し、モータＭ２の駆動に伴い第一部材５８０Ａ，５８０Ｂが前カバー５２０内から出現可能な開口部５２４Ａ，５２４Ｂが形成される。また、前カバー５２０には、第二部材５９０の位置に対応し、モータＭ２の駆動に伴い第二部材５９０が前カバー５２０内から出没可能な切欠き部５２５が形成される。
前カバー５２０の両側面から突設される回転軸５２１は、前カバー５２０の隅部近傍であって、回転機構５０２が非動作時において前カバー５２０の後部下端に位置する。より詳細には、回転軸５２１は、回転機構５０２が非動作時において、前カバー５２０の前面５２６（第１の意匠面）における上下寸法の中間よりも下部に位置し、かつ、前カバー５２０の上面５２８と対向する下面（第１の意匠面と直交する面）における前後寸法の中間よりも後部に位置する。つまり、回転軸５２１は、前カバー５２０の側面の中心位置近傍に位置しないこととなる。これにより、可動体５０５は、回転軸５２１が前カバー５２０の側面の中心位置に存在する場合と比し大きく異なる動作をするので、遊技者に対してインパクトが強く、かつ、意外性のある役物装置５００の提供をすることができる。
【００４９】
図２，図６（ａ）に示すように、前カバー５２０には、サブ演出表示装置６０が搭載される。サブ演出表示装置６０は、演出表示装置５０と連動して例えば数字，文字や特定のキャラクター等の演出画像を表示可能である。サブ演出表示装置６０は、演出表示装置５０の一部を遮った状態で設けられ、そのサブ演出表示部６０Ａは、演出表示部５０Ａの面積全体の６分の１程度を占めている。サブ演出表示部６０Ａは、駆動機構５０１の回転機構５０２の非動作時に前カバー５２０の前面５２６に設けられ、遊技者に対して正対する。つまり、本実施形態における可動体５０５は、回転機構５０２の非動作時において遊技者から視認可能な前カバー５０２の前面５２６が第１の意匠面となり、回転機構５０２の非動作時において遊技者から視認不能な前カバー５２０の後面（図５に示す動作時にあっては上面５２８）が第２の意匠面となる。そして、遊技者は、演出表示部５０Ａ上に表示される変動演出に加え、サブ演出表示部６０Ａ上に表示される演出画像を視認しながら遊技を楽しむことができる。
また、サブ演出表示装置６０は、図外の配線等を介して、図３に示す演出制御装置３００と接続されており、上述したとおり演出制御装置３００から出力される制御信号に基づいて演出画像を表示する。
【００５０】
図５等に示すように、スライド体５０８は、スライド部材としての第一部材５８０Ａ，５８０Ｂと、第二部材５９０とを備える。第一部材５８０Ａ，５８０Ｂは、いずれも矩形状であり、第一部材５８０Ａ，５８０Ｂ同士は、左右方向に互いに所定の間隔離間して設けられる。第一部材５８０Ａ，５８０Ｂは、第一規制プレート５５０及び第二規制プレート５６０によって形成される空間内に配設される。また、第一部材５８０Ａ，５８０Ｂは、駆動機構５０１のスライド機構５０４の動作時において、遊技者から視認される面が意匠面５８５として構成される。意匠面５８５には、例えばパチンコ機１の機種タイトルやロゴマーク等といった通常表示される意匠面と全く異なる表示が施される。具体的には、後述する第二部材５９０の意匠面５９５と組み合わされることにより、例えば戦車等の車体を模った形状が施されている。
第一部材５８０Ａ，５８０Ｂの下部には、長穴５８２Ａ，５８２Ｂが開設される。長穴５８２Ａ，５８２Ｂは、第一部材５８０Ａ，５８０Ｂを前後方向に貫通し、左右方向に延長する楕円状の貫通孔であって、スライド動作に伴い上述の回転アーム５３３，５３８の案内突起５３６，５４１を左右方向に案内する。
【００５１】
図５に示すように、第二部材５９０は、第一部材５８０Ａ，５８０Ｂの背面（後側面）と後カバー５７０の前面との間に位置し、左右方向に延在する矩形状の箱体であって、その奥行寸法（前後方向の寸法）が第一部材５８０Ａ，５８０Ｂよりも肉厚に設定される。第二部材５９０は、スライド機構５０４の動作時において遊技者から視認される面が意匠面５９５として構成される。意匠面５９５は、上述の第一部材５８０Ａ，５８０Ｂと同様に、例えば戦車等の車体を模った形状である。また、特に意匠面５９５の中央部には、戦車等の砲台を模った円筒体５９２が設けられており、第一部材５８０Ａ，５８０Ｂと第二部材５９０とにより戦車全体を表している。また、第二部材５９０の下部には、第一部材５８０Ａ，５８０Ｂの長穴５８２Ａ，５８２Ｂと同様の図外の長穴が開設される。長孔は、第二部材５９０を前後方向に貫通し、左右方向に延長する楕円状の貫通孔であって、スライド動作に伴い上述した回転アーム５３３，５３８の案内突起５３６，５４１を左右方向に案内する。
第一部材５８０Ａ，５８０Ｂの長穴５８２Ａ，５８２Ｂと、第二部材５９０の長穴とに挿通される案内突起５３６，５４１は、モータＭ２の駆動により上方側にスライド動作する。そして、戦車の車体や砲台等が模られた第一部材５８０Ａ，５８０Ｂ及び第二部材５９０が、回転機構５０２により回転動作した後の前カバー５２０の開口部５２４Ａ，５２４Ｂ及び切欠き部５２５から同期して出現することとなる。
【００５２】
以下、可動体５０５の回転動作及びスライド動作について説明する。
図２や図６（ａ）に示すように、待機位置に停止した状態から、演出制御装置３００からモータＭ１に対して駆動信号が出力され、当該モータＭ１の回転軸５１３が所定の方向に回転すると、ギア５１４を介して前カバー５２０に突設されるギア５２１が所定の方向に回転する。
【００５３】
図６（ｂ）に示すように、可動体５０５及びスライド機構５０４は、上述のギア５２１の回転に伴い、前方側（遊技者側）に９０°回転動作する。そして、回転動作前の前面５２６は回転動作後に下方側を向くこととなり、回転動作前の上面５２８は前方側を向くこととなる。よって、回転動作後に遊技者と正対して視認される面は、前カバー５２０の上面５２８となる。
【００５４】
図４，図６（ｃ）に示すように、回転機構５０２の回転動作が完了すると、演出制御装置３００からモータＭ２に対して駆動信号が出力され、当該モータＭ２が所定の方向に回転する。モータＭ２の回転に伴い、回転軸５７５及びギア５３２を介して回転アーム５３３のギア部５３４に動力が伝達されると、回転アーム５３３の案内突起５３６、及び回転アーム５３８の案内突起５４１が案内穴５３７、及び案内穴５４２に沿って上方側に回転移動する。案内突起５３６，５４１は、回転移動に伴い第一部材５８０Ａ，５８０Ｂの長穴５８２Ａ，５８２Ｂ内及び第二部材５９０の図外の長穴内を移動する。これにより、第一部材５８０Ａ，５８０Ｂ及び第二部材５９０が、前カバー５２０内から同時に上方側にスライド移動し、遊技者は第一部材５８０Ａ，５８０Ｂの意匠面５８５、及び第二部材５９０の意匠面５９５の視認が可能となる。つまり、回転機構５０２の非動作時において遊技者から視認可能であったサブ演出表示部６０Ａが、回転機構５０２の駆動に伴い視認不能となり、スライド機構５０４の非動作時において遊技者から視認不能であった第一部材５８０Ａ，５８０Ｂ及び第二部材５９０が、スライド機構５０４の駆動に伴い前カバー５２０内から同期して出現し、遊技者による視認が可能となる。
その後、第一部材５８０Ａ，５８０Ｂ及び第二部材５９０は、図４，図６（ｃ）の状態からモータＭ２が逆方向に回転駆動することにより前カバー５２０内に収容され、遊技者からの視認が不能となる。また、可動体５０５の前カバー５２０は、モータＭ１が逆方向に回転駆動することにより９０°回転し、演出表示部６０Ａが設けられる前カバー５２０の前面５２６を遊技者が視認可能な待機位置に復帰する。
【００５５】
以上のとおり、本実施形態に係る役物装置５００によれば、遊技者から視認されるサブ演出表示部６０Ａが搭載された可動体５０５の前カバー５２０が、演出表示装置５０の演出表示部５０Ａの前方において回転機構５０２により回転動作した後、第一部材５８０Ａ，５８０Ｂ及び第二部材５９０がスライド機構５０４の駆動に伴って前カバー５２０内から出現することとなり、意匠面としてのサブ演出表示部６０Ａが回転に伴い全く異なる戦車等を模った意匠面となるので、遊技者に対してインパクトが強く、かつ、意外性のある役物装置５００の提供をすることができる。
また、第一部材５８０Ａ，５８０Ｂと第二部材５９０とが互いに同期してスライド動作するので、個々にスライド動作するよりも遊技者に対してよりインパクトが強く、かつ、意外性のある役物装置５００の提供をすることができる。
また、可動体５０５は、回転軸５２１を回転中心として回転機構５０２の駆動により前方側（遊技者側）に向かって回転することとなるので、可動体５０５を視認する遊技者に対し迫るような演出が可能となり、インパクトや意外性のある役物装置５００を提供することができる。
さらに、可動体５０５の前カバー５２０は、正逆方向に９０°回転の駆動となることから、可動体５０５周囲のスペースが狭小な場合であっても、回転する際に必要なスペースを小さくできるので、パチンコ機１内のスペースを有効活用することが可能となる。
なお、本実施形態においては、役物装置５００にサブ演出表示装置６０を搭載し、非動作時に遊技者から視認される前面５２６をサブ演出表示部６０Ａとしたが、これに限定されることなく、パチンコ機１の機種名やメーカー名，ロゴマーク、或いは審美性を有するその他の形状等を表示する形態であってもよい。また、第一部材５８０Ａ，５８０Ｂの意匠面５８５及び第二部材５９０の意匠面５９５に加え、前カバー５２０の上面５２８（図５に示す動作時にあっては前面５２６）を意匠面としてもよい。上面５２８を意匠面とすることにより、遊技者に対してよりインパクトが強く、かつ、意外性のある役物装置５００の演出を見せることが可能である。また、第一部材５８０Ａ，５８０Ｂと、第二部材５９０とが同期してスライド移動する構成としたが、それぞれ個別にスライド移動させてもよい。
【００５６】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００５７】
１  パチンコ機、２０  遊技盤、２０Ａ  遊技領域、５０  演出表示装置、
５０Ａ  演出表示部、６０  サブ演出表示装置、６０Ａ  サブ演出表示部、
１００  主制御装置、３００  演出制御装置、
５００  役物装置、５０１  駆動機構、５０２  回転機構、５０４  スライド機構、
５０５  可動体、５０８  スライド体、５２０  前カバー、５２１  回転軸、
５３０  機構プレート、５５０  第一規制プレート、５６０  第二規制プレート、
５７０  後カバー、５８０Ａ，５８０Ｂ  第一部材、５９０  第二部材、
Ｍ１  モータ、Ｍ２  モータ。
【図１】
2016036373.tif 000003
【図２】
2016036373.tif 000004
【図３】
2016036373.tif 000005
【図４】
2016036373.tif 000006
【図５】
2016036373.tif 000007
【図６】
2016036373.tif 000008